(57)【要約】【課題】第１の方向である縦方向に開いた状態から閉じた状態に変化した場合等に、サブディスプレイ等の閉じた状態で各種情報を表示可能な表示部における表示を適切な向きに行う折り畳み式携帯電話機を提供する。また、ユーザに対してアピールが強く、嬉しさ、楽しさ、面白さなど娯楽性が得られる折り畳み式携帯電話機を提供する。【解決手段】第１の筐体２１と第２の筐体２２とがヒンジ部２３を介して連結され、第１の筐体２１に対して第２の筐体２２が第１の方向及び第２の方向に開閉可能な折り畳み式携帯電話機１００において、サブディスプレイ２２２は、第１の方向である縦方向に開いた状態から閉じた状態に変化した場合に、第１回動軸２３１がサブディスプレイ２２２の表示の上側になる向きの表示を行う。【選択図】図１
2010114501.tif 000002
【特許請求の範囲】
【請求項１】
第１の筐体と第２の筐体とがヒンジ部を介して連結され、前記第１の筐体に対して前記第２の筐体が第１の方向及び第２の方向に開閉可能な折り畳み式携帯端末装置において、
前記第１の方向及び前記第２の方向の開閉を検出する開閉検出部と、
前記第２の筐体に設けられ前記第２の筐体を閉じた状態で各種情報を表示可能な表示部と、を備え、
前記表示部は、前記開閉検出部が前記第１の方向に開いた状態から閉じた状態に変化したことを検出した場合に前記第１の方向に見て天地が合っている表示を行い、前記開閉検出部が前記第２の方向に開いた状態から閉じた状態に変化したことを検出した場合に前記第２の方向に見て天地が合っている表示を行う
ことを特徴とする折り畳み式携帯端末装置。
【請求項２】
第１の筐体と第２の筐体とがヒンジ部を介して連結された折り畳み式携帯端末装置において、
前記第２の筐体を前記ヒンジ部とともに第１の方向に開閉する第１回動軸と、
前記第２の筐体を第２の方向に開閉する第２回動軸と、
前記第１の方向及び前記第２の方向の開閉を検出する開閉検出部と、
前記第２の筐体に設けられ前記第２の筐体を閉じた状態で各種情報を表示可能な表示部と、を備え、
前記表示部は、前記開閉検出部が前記第１の方向に開いた状態から閉じた状態に変化したことを検出した場合に前記第１回動軸が前記表示部の上側になる向きの表示を行い、
前記開閉検出部が前記第２の方向に開いた状態から閉じた状態に変化したことを検出した場合に前記第２回動軸が前記表示部の上側になる向きの表示を行う
ことを特徴とする折り畳み式携帯端末装置。
【請求項３】
前記表示部は、前記開閉検出部が前記第１の方向又は前記第２の方向に開いた状態から閉じた状態に変化したことを検出した回数に基づいて表示を行う
ことを特徴とする請求項１又は請求項２に記載の折り畳み式携帯端末装置。
【請求項４】
前記表示部は、前記開閉検出部が前記第１の方向又は前記第２の方向に開いた状態から閉じた状態に変化したことを検出した回数に基づいて、定常の表示パターン又は特殊の表示パターンによる表示を行う
ことを特徴とする請求項１又は請求項２に記載の折り畳み式携帯端末装置。
【請求項５】
第１の筐体と第２の筐体とがヒンジ部を介して連結され、前記第１の筐体に対して前記第２の筐体が第１の方向及び第２の方向に開閉可能な折り畳み式携帯端末装置において、
前記第１の方向及び前記第２の方向の開閉を検出する開閉検出部と、
前記第２の筐体に設けられ前記第２の筐体を閉じた状態で各種情報を表示可能な表示部と、を備え、
前記表示部は、前記開閉検出部が閉じた状態から前記第１の方向に開いた状態に変化したことを検出した場合に前記第１の方向に見て天地が合っている表示を行い、前記開閉検出部が閉じた状態から前記第２の方向に開いた状態に変化したことを検出した場合に前記第２の方向に見て天地が合っている表示を行う
ことを特徴とする折り畳み式携帯端末装置。
【請求項６】
第１の筐体と第２の筐体とがヒンジ部を介して連結された折り畳み式携帯端末装置において、
前記第２の筐体を前記ヒンジ部とともに第１の方向に開閉する第１回動軸と、
前記第２の筐体を第２の方向に開閉する第２回動軸と、
前記第１の方向及び前記第２の方向の開閉を検出する開閉検出部と、
前記第２の筐体に設けられ前記第２の筐体を閉じた状態で各種情報を表示可能な表示部と、を備え、
前記表示部は、前記開閉検出部が閉じた状態から前記第１の方向に開いた状態に変化したことを検出した場合に前記第１回動軸が前記表示部の下側になる向きの表示を行い、前記開閉検出部が閉じた状態から前記第２の方向に開いた状態に変化したことを検出した場合に前記第２回動軸が前記表示部の下側になる向きの表示を行う
ことを特徴とする折り畳み式携帯端末装置。
【請求項７】
前記表示部は、前記開閉検出部が閉じた状態から前記第１の方向又は前記第２の方向に開いた状態に変化したことを検出した回数に基づいて表示を行う
ことを特徴とする請求項５又は請求項６に記載の折り畳み式携帯端末装置。
【請求項８】
前記表示部は、前記開閉検出部が閉じた状態から前記第１の方向又は前記第２の方向に開いた状態に変化したことを検出した回数に基づいて、定常の表示パターン又は特殊の表示パターンによる表示を行う
ことを特徴とする請求項５又は請求項６に記載の折り畳み式携帯端末装置。
【発明の詳細な説明】
【技術分野】
【０００１】
本発明は、第１の筐体と第２の筐体とがヒンジ部を介して連結され、第１の筐体に対して第２の筐体が第１の方向及び第２の方向に開閉可能な折り畳み式携帯電話機等の折り畳み式携帯端末装置に関する。
【背景技術】
【０００２】
特許文献１には、通信状態に応じて複数の発光部を副表示部に向かう方向又は遠ざかる方向に順次点灯するようにして、着信ランプが点灯状態によって何を報知しているかを容易に認識できるようにした携帯端末が開示されている。この先行文献には、開いた状態の携帯端末を閉じたときに発光部を点灯・点滅等を行う点や、副表示部に表示するアニメーションと連動して発光部を点灯させる点が記載されている。
【０００３】
また、特許文献２には、第１の筐体と第２の筐体が連結部を介して連結され、前記第１の筐体に対して前記第２の筐体が第１の方向及び第２の方向に開閉可能な携帯端末が記載されている。ここで、第２の筐体は、第１回動軸を中心に連結部とともに第１の方向に開閉し、第２回動軸を中心に第２の方向に開閉する。
【０００４】
【特許文献１】特開２００８−５４１３７号公報
【特許文献２】特許第４０６４４４３号公報
【発明の開示】
【発明が解決しようとする課題】
【０００５】
しかしながら、特許文献１のような表示を特許文献２のような携帯端末に適用しようとした場合には、サブディスプレイ等の閉じた状態で各種情報を表示可能な表示部における表示をどの向きにすべきかという問題がある。なぜならば特許文献２のような携帯端末では、ユーザの使用状態によって、携帯端末を使用する向きが異なるからである。
【０００６】
また、表示の向きが適切でなければ、表示部における表示は、ユーザに対してアピールが弱く、嬉しさ、楽しさ、面白さなど娯楽性に乏しいという問題もある。
【０００７】
本発明は、係る事情に鑑みてなされたものであり、第１の筐体と第２の筐体とがヒンジ部を介して連結され、第１の筐体に対して第２の筐体が第１の方向及び第２の方向に開閉可能な折り畳み式携帯端末装置において、開いた状態から閉じた状態になった場合又は閉じた状態から開いた状態になった場合に、これらの場合に応じて、サブディスプレイ等の閉じた状態で各種情報を表示可能な表示部における表示を適切な向きに行う折り畳み式携帯端末装置を提供することを目的とする。
【０００８】
また、これらの場合の表示により、ユーザに対してアピールが強く、嬉しさ、楽しさ、面白さなど娯楽性が得られる折り畳み式携帯端末装置を提供することを目的とする。
【課題を解決するための手段】
【０００９】
本発明の折り畳み式携帯端末装置は、第１の筐体と第２の筐体とがヒンジ部を介して連結され、前記第１の筐体に対して前記第２の筐体が第１の方向及び第２の方向に開閉可能な折り畳み式携帯端末装置において、前記第１の方向及び前記第２の方向の開閉を検出する開閉検出部と、前記第２の筐体に設けられ前記第２の筐体を閉じた状態で各種情報を表示可能な表示部と、を備え、前記表示部は、前記開閉検出部が前記第１の方向に開いた状態から閉じた状態に変化したことを検出した場合に前記第１の方向に見て天地が合っている表示を行い、前記開閉検出部が前記第２の方向に開いた状態から閉じた状態に変化したことを検出した場合に前記第２の方向に見て天地が合っている表示を行うことを特徴とする折り畳み式携帯端末装置である。
【００１０】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００１１】
また、本発明の折り畳み式携帯端末装置は、第１の筐体と第２の筐体とがヒンジ部を介して連結された折り畳み式携帯端末装置において、前記第２の筐体を前記ヒンジ部とともに第１の方向に開閉する第１回動軸と、前記第２の筐体を第２の方向に開閉する第２回動軸と、前記第１の方向及び前記第２の方向の開閉を検出する開閉検出部と、前記第２の筐体に設けられ前記第２の筐体を閉じた状態で各種情報を表示可能な表示部と、を備え、前記表示部は、前記開閉検出部が前記第１の方向に開いた状態から閉じた状態に変化したことを検出した場合に前記第１回動軸が前記表示部の上側になる向きの表示を行い、前記開閉検出部が前記第２の方向に開いた状態から閉じた状態に変化したことを検出した場合に前記第２回動軸が前記表示部の上側になる向きの表示を行うことを特徴とする折り畳み式携帯端末装置である。
【００１２】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００１３】
また、本発明の折り畳み式携帯端末装置は、前記表示部は、前記開閉検出部が前記第１の方向又は前記第２の方向に開いた状態から閉じた状態に変化したことを検出した回数に基づいて表示を行うものを含む。
【００１４】
上記構成によれば、第２の筐体を閉じたことを検出した場合に、第２の筐体を閉じたことを検出した回数に基づいて表示を行うので、適切な向きに表示することに加えて、さらに嬉しさ、楽しさ、面白みを表現でき、従来には無い娯楽性が得られる。
【００１５】
また、本発明の折り畳み式携帯端末装置は、前記表示部は、前記開閉検出部が前記第１の方向又は前記第２の方向に開いた状態から閉じた状態に変化したことを検出した回数に基づいて、定常の表示パターン又は特殊の表示パターンによる表示を行うものを含む。
【００１６】
上記構成によれば、第２の筐体を閉じたことを検出した場合に、第２の筐体を閉じたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。
【００１７】
また、本発明の折り畳み式携帯端末装置は、第１の筐体と第２の筐体とがヒンジ部を介して連結され、前記第１の筐体に対して前記第２の筐体が第１の方向及び第２の方向に開閉可能な折り畳み式携帯端末装置において、前記第１の方向及び前記第２の方向の開閉を検出する開閉検出部と、前記第２の筐体に設けられ前記第２の筐体を閉じた状態で各種情報を表示可能な表示部と、を備え、前記表示部は、前記開閉検出部が閉じた状態から前記第１の方向に開いた状態に変化したことを検出した場合に前記第１の方向に見て天地が合っている表示を行い、前記開閉検出部が閉じた状態から前記第２の方向に開いた状態に変化したことを検出した場合に前記第２の方向に見て天地が合っている表示を行うことを特徴とする折り畳み式携帯端末装置である。
【００１８】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が閉じた状態から第１の方向に開いた状態になった場合又は閉じた状態から第２の方向に開いた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００１９】
また、本発明の折り畳み式携帯端末装置は、第１の筐体と第２の筐体とがヒンジ部を介して連結された折り畳み式携帯端末装置において、前記第２の筐体を前記ヒンジ部とともに第１の方向に開閉する第１回動軸と、前記第２の筐体を第２の方向に開閉する第２回動軸と、前記第１の方向及び前記第２の方向の開閉を検出する開閉検出部と、前記第２の筐体に設けられ前記第２の筐体を閉じた状態で各種情報を表示可能な表示部と、を備え、前記表示部は、前記開閉検出部が閉じた状態から前記第１の方向に開いた状態に変化したことを検出した場合に前記第１回動軸が前記表示部の下側になる向きの表示を行い、前記開閉検出部が閉じた状態から前記第２の方向に開いた状態に変化したことを検出した場合に前記第２回動軸が前記表示部の下側になる向きの表示を行うことを特徴とする折り畳み式携帯端末装置である。
【００２０】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が閉じた状態から第１の方向に開いた状態になった場合又は閉じた状態から第２の方向に開いた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００２１】
また、本発明の折り畳み式携帯端末装置は、前記表示部は、前記開閉検出部が閉じた状態から前記第１の方向又は前記第２の方向に開いた状態に変化したことを検出した回数に基づいて表示を行うものを含む。
【００２２】
上記構成によれば、第２の筐体を開いたことを検出した場合に、第２の筐体を開いたことを検出した回数に基づいて表示を行うので、適切な向きに表示することに加えて、さらに嬉しさ、楽しさ、面白みを表現でき、従来には無い娯楽性が得られる。ことができる。
【００２３】
また、本発明の折り畳み式携帯端末装置は、前記表示部は、前記開閉検出部が閉じた状態から前記第１の方向又は前記第２の方向に開いた状態に変化したことを検出した回数に基づいて、定常の表示パターン又は特殊の表示パターンによる表示を行うものを含む。
【００２４】
上記構成によれば、上記構成によれば、第２の筐体を開いたことを検出した場合に、第２の筐体を開いたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。
【発明の効果】
【００２５】
本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００２６】
また、本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が閉じた状態から第１の方向に開いた状態になった場合又は閉じた状態から第２の方向に開いた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【発明を実施するための最良の形態】
【００２７】
以下、本発明を実施するための好適な実施の形態について、図面を参照して詳細に説明する。
【００２８】
（実施の形態１）
図１〜図４に、本実施の形態１に係る折り畳み式携帯端末装置である折り畳み式携帯電話機１００の外観図を示す。
【００２９】
図１に、本発明の実施の形態１に係る折り畳み式携帯電話機１００が縦開き状態から閉状態になる前後の状態を示す外観図を示す。図１（ａ）は、折り畳み式携帯電話機１００が縦開き状態から閉状態になる前の状態を示す外観図である。図１（ｂ）は、折り畳み式携帯電話機１００が縦開き状態から閉状態になった後の状態を示す外観図である。
【００３０】
図２に、本発明の実施の形態１に係る折り畳み式携帯電話機１００が横開き状態から閉状態になる前後の状態を示す外観図を示す。図２（ａ）は、折り畳み式携帯電話機１００が横開き状態から閉状態になる前の状態を示す外観図である。図２（ｂ）は、折り畳み式携帯電話機１００が横開き状態から閉状態になった後の状態を示す外観図である。
【００３１】
図３に、本発明の実施の形態１に係る折り畳み式携帯電話機１００が閉状態から縦開き状態になる前後の状態を示す外観図を示す。図３（ａ）は、折り畳み式携帯電話機１００が閉状態から縦開き状態になる前の状態を示す外観図である。図３（ｂ）は、折り畳み式携帯電話機１００が閉状態から縦開き状態からになった後の状態を示す外観図である。なお、図３は、図１とは反対側から見た図になっている。
【００３２】
図４に、本発明の実施の形態１に係る折り畳み式携帯電話機１００が閉状態から横開き状態になる前後の状態を示す外観図を示す。図４（ａ）は、折り畳み式携帯電話機１００が閉状態から横開き状態になる前の状態を示す外観図である。図４（ｂ）は、折り畳み式携帯電話機１００が閉状態から横開き状態になった後の状態を示す外観図である。なお、図４は、図２とは反対側から見た図になっている。
【００３３】
図１〜図４に示すように、折り畳み式携帯電話機１００は、第１の筐体２１と第２の筐体２２とがヒンジ部２３を介して連結され、第１の筐体２１に対して第２の筐体２２が第１の方向である縦方向及び第２の方向である横方向に開閉可能となっている。ここで、折り畳み式携帯電話機１００は、第１回動軸２３１を中心に、第２の筐体２２を、第１の筐体２１に対して、ヒンジ部２３とともに第１の方向である縦方向に開閉する。また、折り畳み式携帯電話機１００は、第２回動軸２３２を中心に、第２の筐体２２を、第１の筐体２１に対して、第２の方向である横方向に開閉する。このように、折り畳み式携帯電話機１００は、閉状態と、縦開き状態と、横開き状態の３つの状態をとることが可能となっている。
【００３４】
第２の筐体２２を、第１の筐体２１に対して、閉じた状態である閉状態は、ユーザが折り畳み式携帯電話機１００を鞄やポケットに携帯している場合や、使用していない場合に便利である。
【００３５】
第２の筐体２２を、第１の筐体２１に対して、縦方向に開いた状態である縦開き状態は、ユーザが送話口２１２に設けられた送話部と受話口２２３と受話部を用いて、通話をする場合に便利である。
【００３６】
第２の筐体２２を、第１の筐体２１に対して、横方向に開いた状態である横開き状態は、ユーザがメインディスプレイ２２１を用いてテレビを観る場合に便利である。
【００３７】
また、折り畳み式携帯電話機１００の第１の筐体２１には、ダイヤルキーなどを含む操作部２１１や、カメラ部２１３なども備えている。
【００３８】
また、折り畳み式携帯電話機１００の第２の筐体２２には、メインディスプレイ２２１とサブディスプレイ２２２とを備えている。縦開き状態または横開き状態では、ユーザはメインディスプレイ２２１の表示を見ることができるが、閉状態においてはユーザはメインディスプレイ２２１の表示を見ることができない。これに対して、第２の筐体２２を閉じた状態（閉状態）で各種情報を表示可能な表示部であるサブディスプレイ２２２を備えている。ユーザは、閉状態でもサブディスプレイ２２２の表示を見ることができる。さらに、縦開き状態または横開き状態でも、ユーザの周囲にいる他人がサブディスプレイ２２２の表示を見ることも可能である。
【００３９】
図５に、本発明の実施の形態１に係る折り畳み式携帯電話機１００の概略構成を示すブロック図を示す。
【００４０】
折り畳み式携帯電話機１００には、図１〜４において説明した構成のほか、図５に示すように、開閉検出部６と、メモリ７と、処理部８と、通信部９と、アンテナ１０とを備えている。
【００４１】
開閉検出部６は、第１の方向及び第２の方向の開閉を検出する。例えば、第１の磁石と第１の磁気検出手段である第１のホール素子とを用いて第１の方向である縦方向の開閉を検出する。そして、第２の磁石と第２の磁気検出手段である第２のホール素子とを用いて第２の方向である横方向の開閉を検出する。具体的には、第１の磁石は、第２の筐体２２のヒンジ部２３と連結された箇所の近傍に設け、第１の磁気検出手段は、第１の筐体２１に、第２の筐体２２を閉じた状態で第１の磁石と対向する位置に設けることができる。また、第２の磁石は、ヒンジ部２３の第２回動軸２３２の反対側に設け、第２の磁気検出手段は、第２の筐体２２に、第２の筐体２２を閉じた状態で第２の磁石と対向する位置に設けることができる。
【００４２】
メモリ７は、サブディスプレイ２２２等に表示させる表示パターン等を記憶する。処理部８は、装置各部を制御する。通信部９は、アンテナ１０を用いて、基地局との間の無線通信などを利用した通話やデータ通信などの通信処理を行う。
【００４３】
ここで、本発明の実施の形態１に係る他の構成の折り畳み式携帯電話機１００について説明する。
【００４４】
図６は、本発明の実施の形態１に係る他の構成の折り畳み式携帯電話機１００の第２の筐体２２の外側部分を示す平面図である。また、図７は、本発明の実施の形態１に係る他の構成の折り畳み式携帯電話機１００の概略構成を示すブロック図である。
【００４５】
図６、７に示すように、折り畳み式携帯電話機１００の第２の筐体２２には、サブディスプレイ２２２と同じ面に、さらに３色ＬＥＤ４や単色ＬＥＤ５を備えるようにすることもできる。この場合には、メモリ７は、３色ＬＥＤ４、単色ＬＥＤ５及びサブディスプレイ２２２を点灯等（点灯、発光、又は表示）させる表示パターン等を記憶する。
【００４６】
図６において、本実施の形態の折り畳み式携帯電話機１００の第２の筐体２２の外側部分には、その中央部よりやや上方に表示部としてサブディスプレイ２２２が設けられており、さらにサブディスプレイ２２２の直上に表示部として３色ＬＥＤ（発光ダイオード）４と３つの単色（例えば白）ＬＥＤ５がそれぞれ設けられている。サブディスプレイ２２２には液晶ディスプレイ又は有機ＥＬディスプレイが用いられる。また、サブディスプレイ２２２、３色ＬＥＤ（発光ダイオード）４及び３つの単色（例えば白）ＬＥＤ５の上には、表示パネルを設けて、表示パネル部２２４とすることにより、これらの表示部に表示を行わない場合には、これらの表示部をユーザから見えないようにすることもできる。
【００４７】
ここで、サブディスプレイ２２２のほか、３色ＬＥＤ４及び単色ＬＥＤ５は、第２の筐体２２を閉じた状態（閉状態）で各種情報を表示可能な表示部である。ユーザは、閉状態でもサブディスプレイ２２２のほか、３色ＬＥＤ４及び単色ＬＥＤ５の表示を見ることができる。さらに、縦開き状態または横開き状態でも、ユーザの周囲にいる他人がサブディスプレイ２２２の表示を見ることも可能である。
【００４８】
メモリ７には、例えば図８〜図１１に示す表示パターンが記憶されている。なお、図８〜図１１において、横軸は時間であり、黒で塗り潰している箇所がその時間に点灯している部分である。また、ここで、表示パターンとは、図８〜図１１から明らかなように、３色ＬＥＤ４、単色ＬＥＤ５、サブディスプレイ２２２等を点灯等（点灯、発光、又は表示）させるパターンをいう。
【００４９】
処理部８は、図示せぬＣＰＵ（Central Processing Unit）と、このＣＰＵを動作させるための制御プログラムを記憶したプログラムメモリと、前記ＣＰＵの動作において使用されるワークメモリとを有している。処理部８は、サブディスプレイ２２２が、開閉検出部６が第１の方向に開いた状態から閉じた状態に変化したことを検出した場合に第１の方向に見て天地が合っている表示を行い、開閉検出部６が第２の方向に開いた状態から閉じた状態に変化したことを検出した場合に第２の方向に見て天地が合っている表示を行うようにサブディスプレイ２２２等の点灯等（点灯、発光、又は表示）の制御を行う。具体的には、図１に示すように、開閉検出部６が第１の方向に開いた状態から閉じた状態に変化したことを検出した場合に、第１回動軸２３１がサブディスプレイ２２２の表示の上側になる向きの表示を行うように制御する。第１の方向に開いた状態では、ユーザは、折り畳み式携帯電話機１００を縦方向に持って通話を行なっていることなどが想定されるから、開閉検出部６が第１の方向に開いた状態から閉じた状態に変化したことを検出した場合には、第１回動軸２３１がサブディスプレイ２２２の表示の上側になる向きの表示を行うことが適切な向きの表示となる。そして、図２に示すように、開閉検出部６が第２の方向に開いた状態から閉じた状態に変化したことを検出した場合に、第２回動軸２３２がサブディスプレイ２２２の表示の上側になる向きの表示を行うように制御する。第２の方向に開いた状態では、ユーザは、折り畳み式携帯電話機１００を横方向に持ってテレビを観ていることなどが想定されるから、開閉検出部６が第２の方向に開いた状態から閉じた状態に変化したことを検出した場合に、第２回動軸２３２がサブディスプレイ２２２の表示の上側になる向きの表示を行うことが適切な向きの表示となる。このような制御を行うことで、開閉の向きに応じて、閉じた状態で各種情報を表示可能なサブディスプレイ２２２等の表示部における表示を適切な向きに行うことができる。なお、この表示は静止画であってもよいし、動画であってもよい。
【００５０】
また、処理部８は、サブディスプレイ２２２等が、開閉検出部６が閉じた状態から第１の方向に開いた状態に変化したことを検出した場合に第１の方向に見て天地が合っている表示を行い、開閉検出部６が閉じた状態から第２の方向に開いた状態に変化したことを検出した場合に第２の方向に見て天地が合っている表示を行うように点灯等（点灯、発光、又は表示）の制御を行う。具体的には、図３に示すように、開閉検出部６が閉じた状態から第１の方向に開いた状態に変化したことを検出した場合に、第１回動軸２３１がサブディスプレイ２２２の表示の下側になる向きの表示を行うように制御する。第１の方向に開いた状態では、ユーザは、折り畳み式携帯電話機１００を縦方向に持って通話を行なっていることなどが想定されるから、開閉検出部６が閉じた状態から第１の方向に開いた状態に変化したことを検出した場合に、第１回動軸２３１がサブディスプレイ２２２の表示の下側になる向きの表示を行うことで、ユーザの周囲にいる他人がサブディスプレイ２２２の表示を適切な向きでみることができるようになる。そして、図４に示すように、開閉検出部６が閉じた状態から第２の方向に開いた状態に変化したことを検出した場合に、第２回動軸２３２がサブディスプレイ２２２の表示の下側になる向きの表示を行うように制御する。第２の方向に開いた状態では、ユーザは、折り畳み式携帯電話機１００を横方向に持ってテレビを観ていることなどが想定されるから、開閉検出部６が閉じた状態から第２の方向に開いた状態に変化したことを検出した場合に、第２回動軸２３２がサブディスプレイ２２２の表示の下側になる向きの表示を行うことで、ユーザの周囲にいる他人がサブディスプレイ２２２の表示を適切な向きでみることができるようになる。このような制御を行うことで、開閉の向きに応じて、閉じた状態で各種情報を表示可能なサブディスプレイ２２２等の表示部における表示を適切な向きに行うことができる。なお、この表示は静止画であってもよいし、動画であってもよい。
【００５１】
さらに、処理部８は、開閉検出部６によって第２の筐体２２が閉じられたことが検出された場合に、第２の筐体２２が閉じられたことを検出された回数に基づいて点灯等（点灯、発光、又は表示）の制御を行うこともできる。本実施の形態では図８〜図１１に示す表示パターンＡ〜Ｄに基づいて３色ＬＥＤ４、単色ＬＥＤ５及びサブディスプレイ２２２を点灯させ、発光させ、又は表示させることもできる。ここで、点灯させ、発光させ、又は表示させる頻度が最も多い表示パターンを定常の表示パターンと呼ぶことにする。そして、定常の表示パターン以外の表示パターンを特殊の表示パターンと呼ぶことにする。例えば図１２に示すように第２の筐体２２が閉じられた回数が１回目から４９回目までは定常の表示パターンＡで点灯等させ、５０回目は特殊の表示パターンＢで点灯等させる。また、５１回目から９９回目までは定常の表示パターンＡで点灯等させ、１００回目は特殊の表示パターンＣで点灯等させる。さらに、１０１回目から１４９回目までは定常の表示パターンＡで点灯等させ、１５０回目は特殊の表示パターンＤで点灯等させる。それ以降は上記同様の処理を繰り返す。
【００５２】
図１３は、本実施の形態の折り畳み式携帯電話機１００の点灯等の処理を示すフローチャートである。図１３において、第２の筐体２２の開閉検出を行い（ステップＳ１０）、開閉検出できた場合、開閉回数ｎをカウントする（ｎ＝ｎ＋１、ステップＳ１１）。そして、開閉回数ｎが５０回に達したかどうか判定し（ステップＳ１２）、ステップＳ１２の判定で開閉回数ｎが５０回であれば、特殊の表示パターンＢで３色ＬＥＤ４、単色ＬＥＤ５及びサブディスプレイ２２２を点灯等させる（ステップＳ１３）。
【００５３】
次いで、ステップＳ１２の判定で開閉回数ｎが５０回でなければ、開閉回数ｎが１００回に達したかどうか判定し（ステップＳ１４）、開閉回数ｎが１００回であれば、特殊の表示パターンＣで３色ＬＥＤ４、単色ＬＥＤ５及びサブディスプレイ２２２を点灯等させる（ステップＳ１５）。
【００５４】
次いで、ステップＳ１４の判定で開閉回数ｎが１００回でなければ、開閉回数ｎが１５０回に達したかどうか判定し（ステップＳ１６）、開閉回数ｎが１５０回であれば、特殊の表示パターンＤで３色ＬＥＤ４、単色ＬＥＤ５及びサブディスプレイ２２２を点灯等させる（ステップＳ１７）。特殊の表示パターンＤで点灯等を行った後、開閉回数ｎをクリアし（ステップＳ１８）、ステップＳ１０に戻る。
【００５５】
次いで、ステップＳ１６の判定で開閉回数ｎが１５０回でなければ、定常の表示パターンＡで３色ＬＥＤ４、単色ＬＥＤ５及びサブディスプレイ２２２を点灯等させる（ステップＳ１９）。すなわち、開閉回数ｎが、特殊の表示パターンＢ、Ｃ、Ｄで３色ＬＥＤ４、単色ＬＥＤ５及びサブディスプレイ２２２を点灯等させる開閉回数である５０回、１００回、１５０回のいずれでもなければ、定常の表示パターンＡで３色ＬＥＤ４、単色ＬＥＤ５及びサブディスプレイ２２２を点灯等させる（ステップＳ１９）。そして、この処理後再びステップＳ１０に戻り、開閉検出を行う。
【００５６】
なお、開閉回数ｎが１５０よりも大きくなるエラーを防止するために、工場出荷時に開閉回数ｎをクリアしておく（ｎ＝０にしておく）ようにしてもよい。また、開閉回数ｎが何らかのエラーにより１５０よりも大きくなった場合の不具合を防止するために、図１３のステップＳ１６において、開閉回数ｎが１５０の場合にステップＳ１７及びステップＳ１８の処理を実行することに代えて、開閉回数ｎが１５０以上の場合にステップＳ１７及びステップＳ１８の処理を実行するようにしてもよい。
【００５７】
以上のように、本実施の形態１の折り畳み式携帯端末装置である折り畳み式携帯電話機１００によれば、第１の筐体２１と第２の筐体２２とがヒンジ部２３を介して連結され、第１の筐体２１に対して第２の筐体２２が第１の方向及び第２の方向に開閉可能な折り畳み式携帯電話機１００において、開閉の向きに応じて、サブディスプレイ２２２等の閉じた状態で各種情報を表示可能な表示部における表示を適切な向きに行う折り畳み式携帯電話機１００を提供することができる。
【００５８】
すなわち、本実施の形態１の折り畳み式携帯端末装置である折り畳み式携帯電話機１００によれば、第１の筐体２１と第２の筐体２２とがヒンジ部２３を介して連結され、第１の筐体２１に対して第２の筐体２２が第１の方向及び第２の方向に開閉可能な折り畳み式携帯電話機１００において、折り畳み式携帯電話機１００が第１の方向である縦開き状態から閉状態になった場合又は第２の方向である横開き状態から閉状態になった場合に、これらの場合に応じて、サブディスプレイ２２２等の閉じた状態で各種情報を表示可能な表示部における表示を適切な向きに行う折り畳み式携帯電話機１００を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００５９】
また、本実施の形態１の折り畳み式携帯端末装置である折り畳み式携帯電話機１００によれば、第１の筐体２１と第２の筐体２２とがヒンジ部２３を介して連結され、第１の筐体２１に対して第２の筐体２２が第１の方向及び第２の方向に開閉可能な折り畳み携帯電話機１００において、折り畳み式携帯電話機１００が第１の方向である縦方向に開いた状態から閉じた状態になった場合又は第２の方向である横方向に開いた状態から閉じた状態になった場合に、これらの場合に応じて、サブディスプレイ２２２等の閉じた状態で各種情報を表示可能な表示部における表示を適切な向きに行う折り畳み式携帯電話機１００を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００６０】
また、本実施の形態１の折り畳み式携帯電話機１００によれば、開閉検出部６が第２の筐体２２の第１の筐体２１に対する開閉を検出し、処理部８は、第２の筐体２２が閉じられた回数に基づいて、該回数が、“５０”、“１００”及び“１５０”以外の場合は定常の表示パターンＡを点灯等させるが、“５０”の場合に特殊の表示パターンＢ、“１００”の場合に特殊の表示パターンＣ、“１５０”の場合に特殊の表示パターンＤを点灯等させることもできるので、点灯等に意外性を持たせることもできる。これにより、着信ランプの点灯等の状態によって情報を報知することのみを目的とした従来技術と違い、ユーザに対するアピールが強く、嬉しさ、楽しさ、面白さなど娯楽性が得られる。また、折り畳み式携帯電話機１００の第２の筐体２２を閉じたことを検出した場合に、点灯等するので、ユーザに見てもらえる可能性が高く、演出が無駄になることが少ない。
【００６１】
なお、上記実施の形態１では、開閉回数５０、１００、１５０で特殊の表示パターンＢ〜Ｄによる表示を行うようにしたが、開閉回数５０、１００、１５０は一例であり、所望の開閉回数にすることができる。また、特殊パターンをＢ〜Ｄの３種類としたが、この種類も任意である。
【００６２】
また、上記実施の形態１では、３色ＬＥＤ４、単色ＬＥＤ５及びサブディスプレイ２２２などの表示部は、開閉検出部６が第２の筐体２２を閉じたことを検出した場合に、第２の筐体２２を閉じたことを検出した回数に基づいて３色ＬＥＤ４、単色ＬＥＤ５又はサブディスプレイ２２２を点灯させ、発光させ、又は表示させる表示を行うこととしたが、このサブディスプレイ２２２の各種情報の表示は、静止画の表示でもよいし、動画の表示でもよい。また、サブディスプレイ２２２の各種情報の表示は、画像だけでなく、文字、図形、記号等でもよい。また、例えば、３色ＬＥＤ４又は単色ＬＥＤ５の点灯又は発光と連動させて、サブディスプレイ２２２に流れ星の動画を表示することなども考えられる。
【００６３】
また、定常の表示パターンの場合には、３色ＬＥＤ４又は単色ＬＥＤ５の点灯又は発光のみでサブディスプレイ２２２の表示は行なわず、特殊の表示パターンの場合にのみサブディスプレイ２２２の表示を行なうようにしてもよい。このようにすれば、ユーザに対するアピール、嬉しさ、楽しさ、面白さなど娯楽性がさらにアップする。このサブディスプレイ２２２の表示は、静止画の表示でもよいし、動画の表示でもよい。
【００６４】
また、上記実施の形態１では、３色ＬＥＤ４、単色ＬＥＤ５及びサブディスプレイ２２２などの表示部は、開閉検出部６が第２の筐体２２を閉じたことを検出した場合に、第２の筐体２２を閉じたことを検出した回数に基づいて表示を行うこととしたが、これに加えて、通信部９により着信を検出した場合にも３色ＬＥＤ４、単色ＬＥＤ５又はサブディスプレイ２２２を点灯させ、発光させ、又は表示させるようにしてもよい。
【００６５】
また、上記実施の形態１では、図１〜４に示したように、折り畳み式携帯電話機１００が縦開き状態から閉状態になった後と、横開き状態から閉状態になった後と、閉状態から縦開き状態からになった後と、閉状態から横開き状態になった後に、サブディスプレイ２２２に、それぞれの場合に適切な向きに、それぞれ異なった表示をする例を示したが、それぞれの場合に適切な向きに同一の表示をするようにしてもよい。また、折り畳み式携帯電話機１００が縦開き状態から閉状態になった後と、横開き状態から閉状態になった後には、サブディスプレイ２２２に、それぞれの場合に適切な向きに、それぞれ異なった表示をするようにし、閉状態から縦開き状態からになった後と、閉状態から横開き状態になった後には、天地の向きのない図形等の表示のみを表示するようにするなどしてもよい。また、折り畳み式携帯電話機１００が縦開き状態から閉状態になった後と、横開き状態から閉状態になった後と、閉状態から縦開き状態からになった後と、閉状態から横開き状態になった後の少なくともいずれかひとつの場合に、サブディスプレイ２２２に、天地の向きを有する情報の表示を適切な向きに行い、その他の場合には天地の向きのない図形等の表示のみを表示するようにするなどしてもよい。
【００６６】
（実施の形態２）
次に、本発明の実施の形態２に係る折り畳み式携帯電話機１００について説明する。
図１４は、本発明の実施の形態２に係る折り畳み式携帯電話機１００の点灯等の処理を示すフローチャートである。なお、本実施の形態２の折り畳み式携帯電話機１００は、上述した実施の形態１の折り畳み式携帯電話機１００と同様の構成を有するので、説明上必要ある場合は実施の形態１の図面を援用する。また、上述した実施の形態１の折り畳み式携帯電話機１００に対応する部分には同一の符号を付ける。なお、本実施の形態２において、特に言及がない部分は、実施の形態１と同様である。
【００６７】
図１４において、第２の筐体２２の開閉検出を行い（ステップＳ２０）、開閉検出できた場合、開閉回数ｎをカウントする（ｎ＝ｎ＋１、ステップＳ２１）。そして、開閉回数ｎが５０回に達したかどうか判定し（ステップＳ２２）、５０回に達していなければ定常の表示パターンＡで３色ＬＥＤ４、単色ＬＥＤ５及びサブディスプレイ２２２を点灯等させる（ステップＳ２３）。この処理後再びステップＳ２０に戻り、開閉検出を行う。
【００６８】
ステップＳ２２の判定で開閉回数ｎが５０回であれば、ランダムで特殊の表示パターンを決定する（ステップＳ２４）。即ち、例えば特殊の表示パターンＢ〜Ｄのうち１つをランダムに選択する。この場合、ランダムに選択するための情報として、例えば“ランダム関数”、“日時の情報”、“曜日の情報”が望ましい。そして、決定された特殊の表示パターンで３色ＬＥＤ４、単色ＬＥＤ５及びサブディスプレイ２２２を点灯等させる（ステップＳ２５）。決定された特殊の表示パターンで点灯等を行った後、開閉回数ｎをクリアし（ステップＳ２６）、ステップＳ２０に戻る。
【００６９】
以上のように本実施の形態２の折り畳み式携帯端末装置である折り畳み式携帯電話機１００によれば、第１の筐体２１と第２の筐体２２とがヒンジ部２３を介して連結され、第１の筐体２１に対して第２の筐体２２が第１の方向及び第２の方向に開閉可能な折り畳み式携帯電話機１００において、開閉の向きに応じて、サブディスプレイ２２２等の閉じた状態で各種情報を表示可能な表示部における表示を適切な向きに行う折り畳み式携帯電話機１００を提供することができる。
【００７０】
また、本実施の形態の折り畳み式携帯電話機１００によれば、開閉検出部６が第２の筐体２２の第１の筐体２１に対する開閉を検出し、処理部８は、第２の筐体２２が閉じられた回数に基づいて、該回数が、５０回以外の場合には定常の表示パターンＡを点灯等させるが、５０回の場合に例えば特殊の表示パターンＢ〜Ｄのうち１つをランダムに選択して点灯等させるので、点灯等に意外性を持たせることができる。これにより、着信ランプの点灯等の状態によって情報を報知することのみを目的とした従来技術と違い、ユーザに対するアピールが強く、嬉しさ、楽しさ、面白さなど娯楽性が得られる。また、ランダムに決定した特殊の表示パターンによる点灯、発光又は表示を行うので、意外性のある面白さも得られる。
【００７１】
なお、上記実施の形態２では、開閉回数５０のときにランダムで特殊の表示パターンＢ〜Ｄのうち１つを選択するようにしたが、開閉回数５０は一例であり、所望の開閉回数にすることができる。また、上記実施の形態１と同様に、特殊パターンをＢ〜Ｄの３種類としたが、この種類は任意である。
【００７２】
（実施の形態３）
次に、本発明の実施の形態３に係る折り畳み式携帯電話機１００について説明する。
図１５は、本発明の実施の形態３に係る折り畳み式携帯電話機１００の点灯等の処理を示すフローチャートである。なお、本実施の形態の折り畳み式携帯電話機１００は、上述した実施の形態１又は実施の形態２の折り畳み式携帯電話機１００と同様の構成を有するので、説明上必要ある場合は実施の形態１又は実施の形態２の図面を援用する。また、本実施の形態３の折り畳み式携帯電話機１００において、実施の形態１の折り畳み式携帯電話機１００と対応する部分には同一の符号を付ける。なお、本実施の形態３において、特に言及がない部分は、実施の形態１又は２と同様である。
【００７３】
図１５において、まずランダムでカウント数Ｎを決定する（ステップＳ３０）。この場合、ランダムに決定するための情報として、例えば“ランダム関数”、“日時の情報”、“曜日の情報”が望ましい。ランダムでカウント数Ｎを決定した後、第２の筐体２２の開閉検出を行い（ステップＳ３１）、開閉検出できた場合、開閉回数ｎをカウントする（ｎ＝ｎ＋１、ステップＳ３２）。そして、開閉回数ｎがカウント数Ｎに達したかどうか判定し（ステップＳ３３）、カウント数Ｎに達していなければ定常の表示パターンＡで３色ＬＥＤ４、単色ＬＥＤ５及びサブディスプレイ２２２を点灯等させる（ステップＳ３４）。この処理後、ステップＳ３１に戻り、開閉検出を行う。
【００７４】
ステップＳ３３の判定で開閉回数ｎがカウント数Ｎであれば、ランダムで特殊の表示パターンを決定する（ステップＳ３５）。即ち、例えば特殊の表示パターンＢ〜Ｄのうち１つをランダムに選択する。ランダムに選択するための情報として、例えば“ランダム関数”、“日時の情報”、“曜日の情報”が望ましい。そして、決定された特殊の表示パターンで３色ＬＥＤ４、単色ＬＥＤ５及びサブディスプレイ２２２を点灯等させる（ステップＳ３６）。決定された特殊の表示パターンで点灯等させた後、開閉回数ｎをクリアし（ステップＳ３７）、ステップＳ３０に戻る。
【００７５】
以上のように本実施の形態３の折り畳み式携帯端末装置である折り畳み式携帯電話機１００によれば、第１の筐体２１と第２の筐体２２とがヒンジ部２３を介して連結され、第１の筐体２１に対して第２の筐体２２が第１の方向及び第２の方向に開閉可能な折り畳み式携帯電話機１００において、開閉の向きに応じて、サブディスプレイ２２２等の閉じた状態で各種情報を表示可能な表示部における表示を適切な向きに行う折り畳み式携帯電話機１００を提供することができる。
【００７６】
また、本実施の形態３の折り畳み式携帯電話機１００によれば、開閉検出部６が第２の筐体２２の第１の筐体２１に対する開閉を検出し、処理部８は、第２の筐体２２が閉じられた回数ｎに基づいて、該回数ｎが、ランダムで決定したカウント数Ｎの場合に例えば特殊の表示パターンＢ〜Ｄのうち１つをランダムに選択して点灯させ、カウント数Ｎ以外の場合には定常の表示パターンＡで表示させるが、カウント数Ｎの場合に例えば特殊の表示パターンＢ〜Ｄのうち１つをランダムに選択して点灯等させるので、点灯等に意外性を持たせることができる。これにより、着信ランプの点灯等の状態によって情報を報知するのみを目的とした従来技術と違い、ユーザに対するアピールが強く、嬉しさ、楽しさ、面白さなど娯楽性が得られる。また、ランダムに決定した特殊の表示パターンによる点灯、発光又は表示を行うことに加えて、特殊の表示パターンによる点灯、発光又は表示を行う回数もランダムに決定するので、意外性のある面白さも得られる。
【００７７】
なお、上記実施の形態３では、上記実施の形態１、２と同様に、特殊パターンをＢ〜Ｄの３種類としたが、この種類は任意である。
【００７８】
また、上記実施の形態３では、ランダムに決定した特殊の表示パターンによる点灯、発光又は表示を行うことに加えて、特殊の表示パターンによる点灯、発光又は表示を行う回数もランダムに決定することとしたが、これに代えて、特殊の表示パターンによる点灯、発光又は表示を行う回数をランダムに決定し、点灯、発光又は表示を行う特殊の表示パターンは、Ｂ、Ｃ、Ｄ、Ｂ、Ｃ、Ｄ、・・・のように固定の順番にしてもよい。この場合でも、特殊の表示パターンによる点灯、発光又は表示を行う回数をランダムに決定するので、意外性のある面白さも得られる。
【産業上の利用可能性】
【００７９】
本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００８０】
また、本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が閉じた状態から第１の方向に開いた状態になった場合又は閉じた状態から第２の方向に開いた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。
【００８１】
本発明は、これらの効果を有するので、第１の筐体と第２の筐体とがヒンジ部を介して連結され、第１の筐体に対して第２の筐体が第１の方向及び第２の方向に開閉可能な折り畳み式携帯電話機等の折り畳み式携帯端末装置として有用である。
【図面の簡単な説明】
【００８２】
【図１】本発明の実施の形態１に係る折り畳み式携帯電話機が縦開き状態から閉状態になる前後の状態を示す外観図
【図２】本発明の実施の形態１に係る折り畳み式携帯電話機が横開き状態から閉状態になる前後の状態を示す外観図
【図３】本発明の実施の形態１に係る折り畳み式携帯電話機が閉状態から縦開き状態になる前後の状態を示す外観図
【図４】本発明の実施の形態１に係る折り畳み式携帯電話機が閉状態から横開き状態になる前後の状態を示す外観図
【図５】本発明の実施の形態１に係る折り畳み式携帯電話機の概略構成を示すブロック図
【図６】本発明の実施の形態１に係る他の構成の折り畳み式携帯電話機の第２の筐体の外側部分を示す平面図
【図７】本発明の実施の形態１に係る他の構成の折り畳み式携帯電話機の概略構成を示すブロック図
【図８】本発明の実施の形態１に係る折り畳み式携帯電話機で用いられる表示パターンの一例を示す図
【図９】本発明の実施の形態１に係る折り畳み式携帯電話機で用いられる表示パターンの一例を示す図
【図１０】本発明の実施の形態１に係る折り畳み式携帯電話機で用いられる表示パターンの一例を示す図
【図１１】本発明の実施の形態１に係る折り畳み式携帯電話機で用いられる表示パターンの一例を示す図
【図１２】本発明の実施の形態１に係る折り畳み式携帯電話機の各表示パターンの使用例を示す図
【図１３】本発明の実施の形態１に係る折り畳み式携帯電話機の点等の処理を説明するためのフローチャート
【図１４】本発明の実施の形態２に係る折り畳み式携帯電話機の点灯等の処理を説明するためのフローチャート
【図１５】本発明の実施の形態３に係る折り畳み式携帯電話機の点灯等の処理を説明するためのフローチャート
【符号の説明】
【００８３】
１００  折り畳み式携帯電話機
４  ３色ＬＥＤ
５  単色ＬＥＤ
６  開閉検出部
７  メモリ
８  処理部
９  通信部
１０  アンテナ
２１  第１の筐体
２１１  操作部
２１２  送話口
２１３  カメラ部
２２  第２の筐体
２２１  メインディスプレイ
２２２  サブディスプレイ
２２３  受話口
２２４  表示パネル部
２３  ヒンジ部
２３１  第１回動軸
２３２  第２回動軸
【図１】
2010114501.tif 000003
【図２】
2010114501.tif 000004
【図３】
2010114501.tif 000005
【図４】
2010114501.tif 000006
【図５】
2010114501.tif 000007
【図６】
2010114501.tif 000008
【図７】
2010114501.tif 000009
【図８】
2010114501.tif 000010
【図９】
2010114501.tif 000011
【図１０】
2010114501.tif 000012
【図１１】
2010114501.tif 000013
【図１２】
2010114501.tif 000014
【図１３】
2010114501.tif 000015
【図１４】
2010114501.tif 000016
【図１５】
2010114501.tif 000017
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
第１の筐体と第２の筐体とがヒンジ部を介して連結され、前記第１の筐体に対して前記第２の筐体が第１の方向及び第２の方向に開閉可能な折り畳み式携帯端末装置において、
前記第１の方向及び前記第２の方向の開閉を検出する開閉検出部と、
前記第２の筐体に設けられ前記第２の筐体を閉じた状態である閉状態で各種情報を表示可能な表示部と、を備え、
前記表示部は、前記開閉検出部が前記第１の方向に開いた状態から閉じた状態である閉状態に変化したことを検出した場合に閉状態で前記第１の方向に見て天地が合っている表示を行い、前記開閉検出部が前記第２の方向に開いた状態から閉じた状態である閉状態に変化したことを検出した場合に閉状態で前記第２の方向に見て天地が合っている表示を行う
ことを特徴とする折り畳み式携帯端末装置。
【請求項２】
第１の筐体と第２の筐体とがヒンジ部を介して連結された折り畳み式携帯端末装置において、
前記第２の筐体を前記ヒンジ部とともに第１の方向に開閉する第１回動軸と、
前記第２の筐体を第２の方向に開閉する第２回動軸と、
前記第１の方向及び前記第２の方向の開閉を検出する開閉検出部と、
前記第２の筐体に設けられ前記第２の筐体を閉じた状態である閉状態で各種情報を表示可能な表示部と、を備え、
前記表示部は、前記開閉検出部が前記第１の方向に開いた状態から閉じた状態である閉状態に変化したことを検出した場合に閉状態で前記第１回動軸が前記表示部の上側になる向きの表示を行い、前記開閉検出部が前記第２の方向に開いた状態から閉じた状態である閉状態に変化したことを検出した場合に閉状態で前記第２回動軸が前記表示部の上側になる向きの表示を行う
ことを特徴とする折り畳み式携帯端末装置。
【請求項３】
前記表示部は、前記開閉検出部が前記第１の方向又は前記第２の方向に開いた状態から閉じた状態である閉状態に変化したことを検出した回数に基づいて表示を行う
ことを特徴とする請求項１又は請求項２に記載の折り畳み式携帯端末装置。
【請求項４】
前記表示部は、前記開閉検出部が前記第１の方向又は前記第２の方向に開いた状態から閉じた状態である閉状態に変化したことを検出した回数に基づいて、定常の表示パターン又は特殊の表示パターンによる表示を行う
ことを特徴とする請求項１又は請求項２に記載の折り畳み式携帯端末装置。
【請求項５】
前記表示部は、前記開閉検出部が閉じた状態である閉状態から前記第１の方向に開いた状態に変化したことを検出した場合に前記第１の方向に開いた状態で前記第１の方向に見て天地が合っている表示を行い、前記開閉検出部が閉じた状態である閉状態から前記第２の方向に開いた状態に変化したことを検出した場合に前記第２の方向に開いた状態で前記第２の方向に見て天地が合っている表示を行う
ことを特徴とする請求項１に記載の折り畳み式携帯端末装置。
【請求項６】
前記表示部は、前記開閉検出部が閉じた状態である閉状態から前記第１の方向に開いた状態に変化したことを検出した場合に前記第１の方向に開いた状態で前記第１回動軸が前記表示部の下側になる向きの表示を行い、前記開閉検出部が閉じた状態である閉状態から前記第２の方向に開いた状態に変化したことを検出した場合に前記第２の方向に開いた状態で前記第２回動軸が前記表示部の下側になる向きの表示を行う
ことを特徴とする請求項２に記載の折り畳み式携帯端末装置。
【請求項７】
前記表示部は、前記開閉検出部が閉じた状態である閉状態から前記第１の方向又は前記第２の方向に開いた状態に変化したことを検出した回数に基づいて表示を行う
ことを特徴とする請求項５又は請求項６に記載の折り畳み式携帯端末装置。
【請求項８】
前記表示部は、前記開閉検出部が閉じた状態である閉状態から前記第１の方向又は前記第２の方向に開いた状態に変化したことを検出した回数に基づいて、定常の表示パターン又は特殊の表示パターンによる表示を行う
ことを特徴とする請求項５又は請求項６に記載の折り畳み式携帯端末装置。
【請求項９】
前記第１の方向は、縦方向であり、
前記第２の方向は、横方向であり、
前記第１の方向に開いた状態は、縦開き状態であり、
前記第２の方向に開いた状態は、横開き状態である
請求項１乃至請求項８のいずれか１項に記載の折り畳み式携帯端末装置。
【請求項１０】
前記第１の方向は、前記第１の筐体又は前記第２の筐体の長手方向であり、
前記第２の方向は、前記第１の筐体又は前記第２の筐体の短手方向であり、
前記第１の方向に開いた状態は、前記第１の筐体又は前記第２の筐体の長手方向に開いた状態であり、
前記第２の方向に開いた状態は、前記第１の筐体又は前記第２の筐体の短手方向に開いた状態である
請求項１乃至請求項８のいずれか１項に記載の折り畳み式携帯端末装置。
【手続補正２】
【補正対象書類名】明細書
【補正対象項目名】０００９
【補正方法】変更
【補正の内容】
【０００９】
本発明の折り畳み式携帯端末装置は、第１の筐体と第２の筐体とがヒンジ部を介して連結され、前記第１の筐体に対して前記第２の筐体が第１の方向及び第２の方向に開閉可能な折り畳み式携帯端末装置において、前記第１の方向及び前記第２の方向の開閉を検出する開閉検出部と、前記第２の筐体に設けられ前記第２の筐体を閉じた状態である閉状態で各種情報を表示可能な表示部と、を備え、前記表示部は、前記開閉検出部が前記第１の方向に開いた状態から閉じた状態である閉状態に変化したことを検出した場合に閉状態で前記第１の方向に見て天地が合っている表示を行い、前記開閉検出部が前記第２の方向に開いた状態から閉じた状態である閉状態に変化したことを検出した場合に閉状態で前記第２の方向に見て天地が合っている表示を行うことを特徴とする折り畳み式携帯端末装置である。
【手続補正３】
【補正対象書類名】明細書
【補正対象項目名】００１１
【補正方法】変更
【補正の内容】
【００１１】
また、本発明の折り畳み式携帯端末装置は、第１の筐体と第２の筐体とがヒンジ部を介して連結された折り畳み式携帯端末装置において、前記第２の筐体を前記ヒンジ部とともに第１の方向に開閉する第１回動軸と、前記第２の筐体を第２の方向に開閉する第２回動軸と、前記第１の方向及び前記第２の方向の開閉を検出する開閉検出部と、前記第２の筐体に設けられ前記第２の筐体を閉じた状態である閉状態で各種情報を表示可能な表示部と、を備え、前記表示部は、前記開閉検出部が前記第１の方向に開いた状態から閉じた状態である閉状態に変化したことを検出した場合に閉状態で前記第１回動軸が前記表示部の上側になる向きの表示を行い、前記開閉検出部が前記第２の方向に開いた状態から閉じた状態である閉状態に変化したことを検出した場合に閉状態で前記第２回動軸が前記表示部の上側になる向きの表示を行うことを特徴とする折り畳み式携帯端末装置である。
【手続補正４】
【補正対象書類名】明細書
【補正対象項目名】００１３
【補正方法】変更
【補正の内容】
【００１３】
また、本発明の折り畳み式携帯端末装置は、前記表示部は、前記開閉検出部が前記第１の方向又は前記第２の方向に開いた状態から閉じた状態である閉状態に変化したことを検出した回数に基づいて表示を行うものを含む。
【手続補正５】
【補正対象書類名】明細書
【補正対象項目名】００１５
【補正方法】変更
【補正の内容】
【００１５】
また、本発明の折り畳み式携帯端末装置は、前記表示部は、前記開閉検出部が前記第１の方向又は前記第２の方向に開いた状態から閉じた状態である閉状態に変化したことを検出した回数に基づいて、定常の表示パターン又は特殊の表示パターンによる表示を行うものを含む。
【手続補正６】
【補正対象書類名】明細書
【補正対象項目名】００１７
【補正方法】変更
【補正の内容】
【００１７】
また、本発明の折り畳み式携帯端末装置は、前記表示部は、前記開閉検出部が閉じた状態である閉状態から前記第１の方向に開いた状態に変化したことを検出した場合に前記第１の方向に開いた状態で前記第１の方向に見て天地が合っている表示を行い、前記開閉検出部が閉じた状態である閉状態から前記第２の方向に開いた状態に変化したことを検出した場合に前記第２の方向に開いた状態で前記第２の方向に見て天地が合っている表示を行うことを特徴とする折り畳み式携帯端末装置である。
【手続補正７】
【補正対象書類名】明細書
【補正対象項目名】００１９
【補正方法】変更
【補正の内容】
【００１９】
また、本発明の折り畳み式携帯端末装置は、前記表示部は、前記開閉検出部が閉じた状態である閉状態から前記第１の方向に開いた状態に変化したことを検出した場合に前記第１の方向に開いた状態で前記第１回動軸が前記表示部の下側になる向きの表示を行い、前記開閉検出部が閉じた状態である閉状態から前記第２の方向に開いた状態に変化したことを検出した場合に前記第２の方向に開いた状態で前記第２回動軸が前記表示部の下側になる向きの表示を行うことを特徴とする折り畳み式携帯端末装置である。
【手続補正８】
【補正対象書類名】明細書
【補正対象項目名】００２１
【補正方法】変更
【補正の内容】
【００２１】
また、本発明の折り畳み式携帯端末装置は、前記表示部は、前記開閉検出部が閉じた状態である閉状態から前記第１の方向又は前記第２の方向に開いた状態に変化したことを検出した回数に基づいて表示を行うものを含む。
【手続補正９】
【補正対象書類名】明細書
【補正対象項目名】００２３
【補正方法】変更
【補正の内容】
【００２３】
また、本発明の折り畳み式携帯端末装置は、前記表示部は、前記開閉検出部が閉じた状態である閉状態から前記第１の方向又は前記第２の方向に開いた状態に変化したことを検出した回数に基づいて、定常の表示パターン又は特殊の表示パターンによる表示を行うものを含む。
【手続補正１０】
【補正対象書類名】明細書
【補正対象項目名】００２６
【補正方法】削除
【補正の内容】
【手続補正１１】
【補正対象書類名】明細書
【補正対象項目名】００８０
【補正方法】削除
【補正の内容】
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
第１の筐体と第２の筐体とがヒンジ部を介して連結され、前記第１の筐体に対して前記第２の筐体が第１の方向及び第２の方向に開閉可能な折り畳み式携帯端末装置において、
前記第１の方向及び前記第２の方向の開閉を検出する開閉検出部と、
前記第２の筐体に設けられ前記第２の筐体を閉じた状態である閉状態で各種情報を表示可能であり、前記第２の筐体が閉じられた場合に、前記開閉検出部が前記第２の筐体を閉じたことを検出した回数に基づいて、前記回数が所定の回数の場合に特殊の表示パターンによる点灯、発光又は表示を行い、前記所定の回数以外の場合に定常の表示パターンによる点灯、発光又は表示を行う表示部と、を備え、
前記表示部は、前記開閉検出部が前記第１の方向に開いた状態から閉じた状態である閉状態に変化したことを検出した場合に閉状態で前記第１の方向に見て天地が合っている表示を行い、前記開閉検出部が前記第２の方向に開いた状態から閉じた状態である閉状態に変化したことを検出した場合に閉状態で前記第２の方向に見て天地が合っている表示を行う
ことを特徴とする折り畳み式携帯端末装置。
【請求項２】
第１の筐体と第２の筐体とがヒンジ部を介して連結された折り畳み式携帯端末装置において、
前記第２の筐体を前記ヒンジ部とともに第１の方向に開閉する第１回動軸と、
前記第２の筐体を第２の方向に開閉する第２回動軸と、
前記第１の方向及び前記第２の方向の開閉を検出する開閉検出部と、
前記第２の筐体に設けられ前記第２の筐体を閉じた状態である閉状態で各種情報を表示可能であり、前記第２の筐体が閉じられた場合に、前記開閉検出部が前記第２の筐体を閉じたことを検出した回数に基づいて、前記回数が所定の回数の場合に特殊の表示パターンによる点灯、発光又は表示を行い、前記所定の回数以外の場合に定常の表示パターンによる点灯、発光又は表示を行う表示部と、を備え、
前記表示部は、前記開閉検出部が前記第１の方向に開いた状態から閉じた状態である閉状態に変化したことを検出した場合に閉状態で前記第１回動軸が前記表示部の上側になる向きの表示を行い、前記開閉検出部が前記第２の方向に開いた状態から閉じた状態である閉状態に変化したことを検出した場合に閉状態で前記第２回動軸が前記表示部の上側になる向きの表示を行う
ことを特徴とする折り畳み式携帯端末装置。
【請求項３】
前記表示部は、液晶ディスプレイ又は有機ＥＬディスプレイと、発光ダイオードとを有し、前記第２の筐体が閉じられた場合に、前記液晶ディスプレイ又は有機ＥＬディスプレイと前記発光ダイオードとが連動した点灯、発光又は表示を行うものであって、前記発光ダイオードの点灯又は発光の後に、前記液晶ディスプレイ又は有機ＥＬディスプレイの表示を行う
ことを特徴とする請求項１又は請求項２に記載の折り畳み式携帯端末装置。
【請求項４】
前記表示部は、液晶ディスプレイ又は有機ＥＬディスプレイと、３色発光ダイオードと、単色発光ダイオードとを有し、前記第２の筐体が閉じられた場合に、前記液晶ディスプレイ又は有機ＥＬディスプレイと前記３色発光ダイオードと前記単色発光ダイオードとが連動した点灯、発光又は表示を行うものであって、最初に前記３色発光ダイオードが点灯又は発光し、次に前記単色発光ダイオードが点灯又は発光し、最後に前記液晶ディスプレイ又は有機ＥＬディスプレイが表示を行う
ことを特徴とする請求項１又は請求項２に記載の折り畳み式携帯端末装置。
【請求項５】
前記表示部は、前記第２の筐体が閉じられた場合に、前記定常の表示パターン又は前記特殊の表示パターンのいずれかによる動画の表示を行う
ことを特徴とする請求項１又は請求項２に記載の折り畳み式携帯端末装置。
【請求項６】
前記表示部は、複数の特殊の表示パターンのうち、ランダムに決定した特殊の表示パターンによる点灯、発光又は表示を行うことを特徴とする請求項１乃至請求項５のいずれか１項に記載の折り畳み式携帯端末装置。
【請求項７】
前記表示部は、前記特殊の表示パターンによる点灯、発光又は表示を行うまでの前記第２の筐体を閉じたことを検出する前記所定の回数をランダムに決定し、点灯、発光又は表示を行うことを特徴とする請求項１乃至請求項６のいずれか１項に記載の折り畳み式携帯端末装置。
【請求項８】
前記表示部は、前記開閉検出部が閉じた状態から前記第１の方向に開いた状態に変化したことを検出した場合と、閉じた状態から前記第２の方向に開いた状態に変化したことを検出した場合に、天地の向きのない表示のみを行う
ことを特徴とする請求項１乃至請求項７のいずれか１項に記載の折り畳み式携帯端末装置。
【請求項９】
前記第１の方向は、縦方向であり、
前記第２の方向は、横方向であり、
前記第１の方向に開いた状態は、縦開き状態であり、
前記第２の方向に開いた状態は、横開き状態である
請求項１乃至請求項８のいずれか１項に記載の折り畳み式携帯端末装置。
【請求項１０】
前記第１の方向は、前記第１の筐体又は前記第２の筐体の長手方向であり、
前記第２の方向は、前記第１の筐体又は前記第２の筐体の短手方向であり、
前記第１の方向に開いた状態は、前記第１の筐体又は前記第２の筐体の長手方向に開いた状態であり、
前記第２の方向に開いた状態は、前記第１の筐体又は前記第２の筐体の短手方向に開いた状態である
請求項１乃至請求項８のいずれか１項に記載の折り畳み式携帯端末装置。
【手続補正２】
【補正対象書類名】明細書
【補正対象項目名】０００９
【補正方法】変更
【補正の内容】
【０００９】
本発明の折り畳み式携帯端末装置は、第１の筐体と第２の筐体とがヒンジ部を介して連結され、前記第１の筐体に対して前記第２の筐体が第１の方向及び第２の方向に開閉可能な折り畳み式携帯端末装置において、前記第１の方向及び前記第２の方向の開閉を検出する開閉検出部と、前記第２の筐体に設けられ前記第２の筐体を閉じた状態である閉状態で各種情報を表示可能であり、前記第２の筐体が閉じられた場合に、前記開閉検出部が前記第２の筐体を閉じたことを検出した回数に基づいて、前記回数が所定の回数の場合に特殊の表示パターンによる点灯、発光又は表示を行い、前記所定の回数以外の場合に定常の表示パターンによる点灯、発光又は表示を行う表示部と、を備え、前記表示部は、前記開閉検出部が前記第１の方向に開いた状態から閉じた状態である閉状態に変化したことを検出した場合に閉状態で前記第１の方向に見て天地が合っている表示を行い、前記開閉検出部が前記第２の方向に開いた状態から閉じた状態である閉状態に変化したことを検出した場合に閉状態で前記第２の方向に見て天地が合っている表示を行うことを特徴とする折り畳み式携帯端末装置である。
【手続補正３】
【補正対象書類名】明細書
【補正対象項目名】００１０
【補正方法】変更
【補正の内容】
【００１０】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。また、上記構成によれば、第２の筐体を閉じたことを検出した場合に、第２の筐体を閉じたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。
【手続補正４】
【補正対象書類名】明細書
【補正対象項目名】００１１
【補正方法】変更
【補正の内容】
【００１１】
また、本発明の折り畳み式携帯端末装置は、第１の筐体と第２の筐体とがヒンジ部を介して連結された折り畳み式携帯端末装置において、前記第２の筐体を前記ヒンジ部とともに第１の方向に開閉する第１回動軸と、前記第２の筐体を第２の方向に開閉する第２回動軸と、前記第１の方向及び前記第２の方向の開閉を検出する開閉検出部と、前記第２の筐体に設けられ前記第２の筐体を閉じた状態である閉状態で各種情報を表示可能であり、前記第２の筐体が閉じられた場合に、前記開閉検出部が前記第２の筐体を閉じたことを検出した回数に基づいて、前記回数が所定の回数の場合に特殊の表示パターンによる点灯、発光又は表示を行い、前記所定の回数以外の場合に定常の表示パターンによる点灯、発光又は表示を行う表示部と、を備え、前記表示部は、前記開閉検出部が前記第１の方向に開いた状態から閉じた状態である閉状態に変化したことを検出した場合に閉状態で前記第１回動軸が前記表示部の上側になる向きの表示を行い、前記開閉検出部が前記第２の方向に開いた状態から閉じた状態である閉状態に変化したことを検出した場合に閉状態で前記第２回動軸が前記表示部の上側になる向きの表示を行うことを特徴とする折り畳み式携帯端末装置である。
【手続補正５】
【補正対象書類名】明細書
【補正対象項目名】００１２
【補正方法】変更
【補正の内容】
【００１２】
上記構成によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。また、上記構成によれば、第２の筐体を閉じたことを検出した場合に、第２の筐体を閉じたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。また、第２の筐体を閉じたことを検出した場合に、第２の筐体を閉じたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。
【手続補正１９】
【補正対象書類名】明細書
【補正対象項目名】００７９
【補正方法】変更
【補正の内容】
【００７９】
本発明によれば、第１の筐体と第２の筐体とがヒンジ部を介して連結され、第１の筐体に対して第２の筐体が第１の方向及び第２の方向に開閉可能な折り畳み式携帯端末装置において、折り畳み式携帯端末装置が第１の方向に開いた状態から閉じた状態になった場合又は第２の方向に開いた状態から閉じた状態になった場合に、これらの場合に応じて、サブディスプレイ等の閉じた状態で各種情報を表示可能な表示部における表示を適切な向きに行う折り畳み式携帯端末装置を提供することができる。また、表示が適切な向きに行なわれ、ユーザに対してアピールが強くなる結果、これらの場合の表示により、嬉しさ、楽しさ、面白みを表現でき、従来には無い娯楽性が得られる。また、第２の筐体を閉じたことを検出した場合に、第２の筐体を閉じたことを検出した回数に基づいて定常の表示パターン又は特殊の表示パターンによる表示を行うので、適切な向きに表示することに加えて、さらに嬉しさ、楽しさ、面白みを表現でき、従来には無い娯楽性が得られる。